(57)【要約】【課題】  より遠くへ、かつより正確にボールを飛ばすことができる、有効なゴルフクラブ４１のスイング軌道を自ら容易に習得でき、また、ゴルフコーチがプレーヤーに教授する場合にあっても客観性を以って正しいスイング軌道を指摘でき、ゴルフ教授効率を改善することができるゴルフスイング点検器を提供する。【解決手段】  ゴルフプレーヤー４５によるゴルフクラブ４１のスイングを点検できるように構成され、正しいスイング軌道面を規定することができる基準指標部材１２が備えられている。【選択図】    図３
2006158453.tif 000002
【特許請求の範囲】
【請求項１】
ゴルフプレーヤーによるゴルフクラブのスイングを点検できるゴルフスイング点検器であって、ゴルフクラブの有効なスイング軌道面を規定することができる基準指標部材が備えられていることを特徴とするゴルフスイング点検器。
【請求項２】
上記基準指標部材は、上記ゴルフクラブの有効なスイング軌道断面を指示しうるスイング軌道指示部材と、バックスイング時における有効なクラブフェースの角度を指示しうるクラブフェース角度指示部材とにより構成されていることを特徴とする請求項１記載のゴルフスイング点検器。
【請求項３】
上記スイング軌道指示部材は、上半身を股関節を中心に所定角度前傾させた状態でセットアップした状態のゴルフクラブの位置を含む、スイング時においてゴルフクラブがボールへインパクトするための適切な入射角度を有する本来のスイング軌道断面と、
バックスイングし、ゴルフクラブが最高位置に至った場合におけるプレーヤーの右肩とボールとの間を結ぶ直線を含み、バックスイング時の最高位置にあるグリップが位置すべき仮想スイング軌道断面とを規定しうるように構成されていることを特徴とする請求項２記載のゴルフスイング点検器。  
【請求項４】
設置面上に載置される基部と、この基部上に設けられ上下方向に伸縮可能に形成された支持部とを有し、上記スイング軌道指示部材はアーム状に形成されて上記支持部に対して角度可変に取り付けられると共に上記クラブフェース角度指示部材は上記支持部に取り付けられ、上記スイング軌道指示部材は伸縮可能に形成されていることを特徴とする請求項３記載のゴルフスイング点検器。
【請求項５】
上記支持部は棒状に形成され、上記支持部の上端部に上記スイング軌道指示部材及びクラブフェース角度指示部材が軸支され、上記スイング軌道指示部材は、上記支持部における軸支部から上記支持部の両側方へ直線状に伸長させることができるように形成され、上記支持部の両側方へ伸張した場合には、ゴルフクラブのスイング軌道の断面を規定しうる長さに形成されていることを特徴とする請求項４記載のゴルフスイング点検器。
【請求項６】
上記支持部の上端部には円板状に形成された角度表示盤が中心部において固定され、上記スイング軌道指示部材及び上記クラブフェース角度指示部材は、上記角度表示盤の中心部を介して上記指示部材に取り付けられていることを特徴とする請求項４又は５記載のゴルフスイング点検器。
【請求項７】
上記角度表示盤の周縁部には時刻表示文字が記され、上記クラブフェース角度指示部材は、ゴルフクラブをハーフスイングする際のテークバック最高位置において１１時３０分の角度位置に固定されていることを特徴とする請求項５記載のゴルフスイング点検器。
【発明の詳細な説明】
【技術分野】
【０００１】
本発明は、ゴルフスイング点検器に係り、特に、ゴルフプレーヤーが、より遠くへ、かつより正確にボールを飛ばすことができる、確実で安定性のあるスイング軌道を習得することができるゴルフスイング点検器に関する。
【背景技術】
【０００２】
ゴルフプレーヤーがゴルフクラブでボールをインパクトする際に、ボールをより遠くへ、より正確に飛ばすためには、まず、効率的に身体のエネルギーをボールに伝達できるように、上半身の前傾角度を最適に形成する必要がある。
【０００３】
また、上記正しい前傾角度を備えたフォームを形成すると共に、ボールをより遠くへかつより正確に飛ばすために有効な、正しいゴルフクラブのスイング軌道を体得する必要がある。
上記の正しいスイング軌道を有する、確実で安定性のあるゴルフクラブのスイングを行うためには、上半身の適切な前傾角度を有した正しいフォームにおいて正しいスイング軌道をゴルフクラブの素振りにより反復練習することが最も重要である。
【０００４】
そして、上記ゴルフクラブの素振りを反復練習する場合においては、まず、ボールと足を置く位置との距離を適切に設定することが、確実で安定性のあるスイング軌道を把握するためには重要な要素となる。
ボールと両足のスタンスの間との距離を正確にセットアップすることにより、結果的にグリップの位置も正確、適切にセットアップされることになるからである。
また、クラブフェースがボールにインパクトする際のクラブフェースの入射角度、および、クラブをバックスイングし最高位置に至った場合のクラブのグリップの位置等も重要な要素である。
従って、これらの要素に充分に留意してゴルフクラブの素振りの練習を行うことが必要であることを、本件特許出願に係る発明の発明者は長年のゴルフコーチの実績の中から確認している。
そして、上記のような要素に留意しつつ反復練習することにより、常時、同一のスイング軌道を以ってクラブのスイングを行えるようになることが可能となるものである。
【０００５】
このような観点から、バックスイングした際のゴルフクラブの上記の正しいスイング軌道を形成しかつ安定させるためには、バックスイング側の腰の高さ位置から、上記ボールと両足を置く位置との間の距離においてゴルフクラブをボールのインパクト位置においたセットアップ状態を介して、フォロースルー側の腰の高さ位置に至る、いわゆる「ハーフスイング」を繰り返し練習することが重要であることがゴルフ理論上、知られている。
しかしながら、従来、上記ゴルフプレーヤーがゴルフクラブの「ハーフスイング」の練習を行う場合に、正しいスイング軌道を形成しているか否か、を客観的、視覚的に点検できる器具は存在しなかった。
【０００６】
また、より遠くへ、かつより正確にボールを飛ばすためには、ボールにインパクトする際のクラブフェースの入射角度も重要な要素である。
即ち、バックスイング時にクラブフェースが開き過ぎていた場合には、インパクトの際にクラブフェースはボールに対して開いた状態でインパクトすることから、ボールは右方向にそれて飛び、いわゆるスライスとなり、一方、クラブフェースが閉じすぎていた場合には、ボールは左方向へ飛ぶこととなり、いわゆるフックとなる。
【０００７】
従って、プレーヤーの意図する方向へ、真っ直ぐにボールを飛ばすためには、バックスイング時におけるクラブフェースの角度が適正になるよう反復練習する必要がある。
しかしながら、従来、バックスイング時にクラブフェースの角度が適切に形成されているか否か、を視覚的、かつ客観的にチェックできる器具は存在しなかった。
【０００８】
さらに、ボールを打つために、ゴルフクラブを肩の高さ以上にまで振り上げ、いわゆる、トップオブスイング位置にまで至るフルスイングを行った場合には、上記ハーフスイング時とはグリップの高さ位置が異なることから、スイング軌道もハーフスイング時とは異なってくるが、このようなフルスイング時における正しいスイング軌道を、視覚的かつ客観的にチェックできる器具は存在しなかった。
その結果、従来、ゴルフコーチがプレーヤーをコーチする場合に、ゴルフコーチ側でも正しいスイング軌道を、言語、身体フォームそのもので表現せざるを得ないことから、きわめて曖昧な形の表現となり、その結果、プレーヤー側でも正しいスイング軌道を確実に体得することは難しく、コーチによる教授効率も非常に低いものであった。
【０００９】
ところで、従来、特許文献１により、ゴルフのゴルフスイング点検器が公開されているが、このゴルフスイング点検器は、スイング時の身体の揺らぎを矯正するためのもので、スイング軌道を視覚的、客観的にチェックして、正しいスイング軌道を習得させるものではない。
【特許文献１】特開平９−３１３６５８号公報
【００１０】
また、従来、特許文献２により、フォーム矯正具が公開されているが、このフォーム矯正具は、プレーヤーがスイングする際の正面から見たフォームを矯正するためのものであって、これも正しいゴルフクラブのスイング軌道を習得させるための器具ではない。
【特許文献２】特開２００３−２３０６４９号公報
【発明の開示】
【発明が解決しようとする課題】
【００１１】
そこで本発明の課題は、より遠くへ、かつより正確にボールを飛ばすことができる、正しいゴルフクラブのスイング軌道を自ら容易に習得でき、また、ゴルフコーチがプレーヤーに教授する場合には、教える側も教わる側も科学的に体感することができ、客観性を以って正しいスイング軌道が指摘され、ゴルフ教授効率を改善することができるゴルフスイング点検器を提供することにある。
【課題を解決するための手段】
【００１２】
上記課題を解決するために、請求項１記載の本発明に係るゴルフスイング点検器は、ゴルフプレーヤーによるゴルフクラブ４１のスイングを点検できるゴルフスイング点検器であって、ゴルフクラブ４１の有効なスイング軌道面を規定することができる基準指標部材が備えられていることを特徴とする。
【００１３】
即ち、請求項１記載の発明に係るゴルフスイング点検器にあっては、ボールをより遠くへ、かつより正確に飛ばすことができるスイング軌道面を客観的に規定することができることから、上記スイング軌道面内においてスイングしているか否かを、視覚的にチェックすることができる。
従って、反復練習する際には、セットアップ時やスイング時のゴルフクラブの位置、角度を容易にチェックできる。
【００１４】
また、請求項２記載の発明に係るゴルフスイング点検器は、上記基準指標部材は、上記ゴルフクラブの有効なスイング軌道断面を指示しうるスイング軌道指示部材と、バックスイング時における有効なクラブフェースの角度を指示しうるクラブフェース角度指示部材とにより構成されていることを特徴とする。
【００１５】
上述のように、より遠く、かつより正確にボールを飛ばすためには、スイング時には、より遠くへ、かつ、より正確にボールを飛ばすことができる、正しいクラブのスイング軌道を、常時一定に行えるようにすると共に、インパクトする際のクラブフェースの入射角度を飛球方向に対して直角に設定する必要があるが、請求項２記載の本発明に係るゴルフスイング点検器にあっては、上記スイング軌道指示部材が設けられていることから、正しいスイング軌道が客観的に示されると共に、インパクトの際に飛球方向に対して直角になるための、バックスイング時における正しいクラブフェースの角度が客観的に示されている。
従って、素振りによる練習の際には、上記スイング軌道指示部材に沿ってクラブをスイングすることにより、正しいスイング軌道断面に合致したスイング軌道を習得することができ、また、クラブフェース角度指示部材によりバックスイング時における正しいクラブフェース角度を習得することができる。
【００１６】
また、請求項３記載の発明に係るゴルフスイング点検器は、上記スイング軌道指示部材は、上半身を股関節を中心に所定角度前傾させた状態でセットアップした状態のゴルフクラブの位置を含む、スイング時においてゴルフクラブがボールへインパクトするための適切な入射角度を有する本来のスイング軌道断面と、バックスイングし、ゴルフクラブが最高位置に至った場合におけるプレーヤーの右肩とボールとの間を結ぶ直線を含み、バックスイング時の最高位置にあるグリップが位置すべき仮想スイング軌道断面とを規定しうるように構成されていることを特徴とする。  
【００１７】
従って、請求項３記載の発明にあっては、上半身を股関節を中心に所定角度前傾させた状態でセットアップした状態のゴルフクラブの位置により、ボールにインパクトする際の、本来のゴルフクラブの軌道断面を規定することができる。なお、上記上半身を前傾させる「所定角度」は、３０度〜３５度である。
そして、「ハーフスイング」を練習する場合には、上記スイング軌道指示部材が指示する「本来のスイング軌道断面」に合わせて反復練習を行うことにより、スイング時の正しい軌道断面を習得することができ、その結果として、フルスイング時におけるインパクト時の正しいスイングを習得することができる。
【００１８】
また、「フルスイング」時には、上記スイング軌道指示部材が指示する上記「仮想スイング軌道断面」により、フルスイングの際の、バックスイング時のトップオブザスイング時における正しいグリップ位置を習得することができる。
この場合、上記「仮想スイング軌道断面」は、置かれるべきボールとプレーヤーの右肩との間を結んで形成される直線を含む軌道断面となり、上記トップオブザスイング時においては、グリップは上記「仮想スイング軌道断面」上にあることが必要となる。
【００１９】
そして、上記「本来の軌道断面」を意識することにより、「フルスイング」を行った際のダウンスイング時には、グリップ位置は「仮想スイング軌道断面」から「本来の軌道断面」へと移動し、上記セットアップした状態のゴルフクラブの位置にゴルフクラブを復帰させることにより、初めて、正しいスイング軌道を形成することが可能となるものである。
従って、上記フルスイング時のアットザトップ位置における「仮想スイング面」上にあるグリップ位置は、ダウンスイングに入る場合に「本来のスイング軌道断面」に戻ることができるグリップ位置であるということができる。
【００２０】
また、請求項４記載の発明に係るゴルフスイング点検器は、設置面上に載置される基部と、この基部上に設けられ上下方向に伸縮可能に形成された支持部とを有し、上記スイング軌道指示部材はアーム状に形成されて上記支持部に対して角度可変に取り付けられると共に上記クラブフェース角度指示部材は上記支持部に取り付けられ、上記スイング軌道指示部材は伸縮可能に形成されていることを特徴とする。
【００２１】
従って、請求項４記載の発明に係るゴルフスイング点検器にあっては、クラブフェース角度指示部材を構成するスイング軌道指示部材は、伸縮可能に形成されていることから、プレーヤーがフルスイングを行った場合にもスイング軌道を容易に確認することができる。
また、請求項５記載の本発明に係るゴルフスイング点検器にあっては、上記支持部は棒状に形成され、上記支持部の上端部に上記スイング軌道指示部材及びクラブフェース角度指示部材が軸支され、上記スイング軌道指示部材は、上記支持部における軸支部から上記支持部の両側方へ直線状に伸長させることができるように形成され、上記支持部の両側方へ伸張した場合には、ゴルフクラブのスイング軌道の断面を規定しうる長さに形成されていていることを特徴とする。
【００２２】
従って、請求項５記載の発明にあっては、上記支持部から両方向へを伸長させた場合には、上記支持部の両側方に展張したスイング軌道指示部材によりゴルフクラブの全体の軌道面を規定することができる。
【００２３】
また、請求項６記載の発明に係るゴルフスイング点検器は、上記支持部の上端部には円板状に形成された角度表示盤が中心部において固定され、上記スイング軌道指示部材及び上記クラブフェース角度指示部材は、上記角度表示盤の中心部を介して上記指示部材に取り付けられていることを特徴とする。
また、請求項７記載の本発明に係るゴルフスイング点検器は、上記角度表示盤の周縁部には時計の文字盤と同様の時刻表示文字が記され、上記クラブフェース角度指示部材は、ゴルフクラブをハーフスイングする際のテークバック最高位置において１１時３０分の角度位置に固定されていることを特徴とする。
上記「ハーフスイング」とは、ゴルフクラブ４１のスイングを身体正面方向から見てゴルフクラブ４１のスイング角度を時計の文字盤に即して表現した場合には、上記「ハーフスイング」は３時位置〜９時位置の間のスイングである。
従って、「ゴルフクラブをハーフスイングする際のテークバック最高位置」とはプレーヤーの略、腰の高さ位置に相当する。
【００２４】
請求項７記載の本発明に係るゴルフスイング点検器にあっては、上記角度表示盤の所要位置に刻設された目盛の角度を表示するために、角度を示す数字の代わりに、時計の文字盤と同様の時刻表示文字が使用されている。
【発明の効果】
【００２５】
請求項１記載の本発明に係るゴルフスイング点検器にあっては、ボールをより遠くへ、かつより正確に飛ばすことができるスイング軌道面が上記基準指標部材により規定されていることから、プレーヤーは、セットアップ時、バックスイング時に、ゴルフクラブが上記基準指標部材が規定する有効なスイング軌道面に合致しているか否か、を視覚により、客観的かつ容易にチェックすることができる。
【００２６】
従って、上記ゴルフクラブの角度及び位置が基準指標部材と合致していない場合には即座に矯正することができ、反復練習により適切なスイングを習得することができる。
その結果、本発明に係るゴルフスイング点検器を使用することにより、ボールをより遠くへ、かつ、より正確に飛ばすことができるゴルフスイングを自ら習得することができる。
また、ゴルフコーチがプレーヤーに教授する場合には、教える側も教わる側も科学的に体感することができ、ゴルフコーチは客観性を以って正しいスイング軌道を指摘できることから、ゴルフ教授効率を改善することができる。
【００２７】
また、請求項２記載の本発明に係るゴルフスイング点検器にあっては、請求項１記載の発明の効果に加えて、スイング軌道指示部材により、ボールをより遠くへ、より正しく飛ばすことができるゴルフクラブのスイング軌道断面を習得することができると共に、上記クラブフェース角度指示部材により、クラブがボールへインパクトする際の的確なクラブフェースの入射角度をバックスイングの時点で確認することができる。
【００２８】
従って、インパクト後にボールがスライス又はフックとなる事態を有効に防止することができ、プレーヤーの希望する方向へ正しく、より遠くへ飛ばすことができる。
【００２９】
また、請求項３記載の発明に係るゴルフスイング点検器にあっては、ゴルフスイングの基礎となるハーフスイングの練習時には、上記「本来のスイング軌道断面」に合わせてスイングを行うことにより、正確なスイング軌道を習得でき、その結果、フルスイング時におけるボールへのインパクトに至る際の、正しいスイング軌道を習得することができる。
また、上記「仮想スイング軌道断面」により、「フルスイング」時の、バックスイングでのアットザトップ位置におけるグリップ位置を習得することができ、その結果、フルスイング時に、上記「仮想スイング軌道断面」によりグリップ位置を設定して練習することにより、ダウンスイング時には、ゴルフクラブを上記「本来のスイング軌道断面」に容易に戻すことができることから、正しいスイングを身に付けることができる。
【００３０】
また、請求項４及び請求項５記載の本発明に係るゴルフスイング点検器にあっては、上記支持部は上下方向に伸縮可能に形成されていることから、使用するプレーヤーの体格に合わせて調整することができ、多くのプレーヤーが利用することにより正しいスイング軌道を身につけることができる。
【００３１】
また、上記支持部を上下方向に伸縮させて、上記スイング軌道指示部材の高さ位置を変更することができることから、異なる高さ位置で形成される上記「本来のスイング軌道断面」と上記「仮想スイング軌道断面」を上記スイング軌道指示部材により形成することができ、「ハーフスイング」時の軌道断面及び「フルスイング」時の軌道断面の双方を、プレーヤーに明確に認識させることができる。
【００３２】
また、請求項６記および７記載の発明に係るゴルフスイング点検器にあっては、上記角度表示盤の周縁部には時計の文字盤と同様の時刻表示文字が記されていることから、プレーヤーは練習に際して、角度を表示する文字が普通に角度を示す数字で表示されている場合よりも、上記クラブフェース角度指示部材の傾斜角度をイメージにより把握しやすい。その結果、よりスイング練習の効率を良好にすることができる。
【００３３】
また、請求項７記載の発明にあっては、上記角度表示盤に記載された時計の文字盤と同様の時刻表示文字のうち、上記クラブフェース角度指示部材は、１１時３０分の角度に固定されていることから、上記クラブフェース角度指示部材に、ハーフスイング時におけるクラブヘッドのリーディングエッジを合わせることにより、クラブを振り下ろし、ボールにインパクトする際の適切な角度を形成することができる。
【００３４】
ゴルフクラブをバックスイングした場合のハーフスイング位置において、１１時３０分の角度位置にクラブヘッドのフェースのリーディングエッジが位置することが、クラブヘッドのボールへのインパクトに重要な要素であることが、本件特許出願の発明者の過去のゴルフコーチの実績のなかで把握されている。
従って、本発明にあっては、ハーフスイングにおける、腰の高さ位置でゴルフクラブのクラブヘッドのリーディングエッジを上記クラブフェース角度指示部材に合致させるのみで、ゴルフクラブがボールにインパクトする際の最適な入射角度を習得することができる。
【００３５】
従って、上記「仮想スイング軌道断面」により、バックスイングのアットザトップ時点におけるグリップの位置を習得し、また、上記ゴルフクラブフェース角度指示部材の規制によりダウンスイング時における腰の高さ位置でのクラブフェースの角度を習得し、「本来のスイング軌道断面」によりインパクトの際の、あるべきゴルフクラブの角度位置が習得できることから、プレーヤーは、これらの各要素を反復練習することにより、容易に、より遠くへ、より正確に飛ばすことができるスイング軌道を身につけることができる。
【００３６】
また、ゴルフスイングを教授する場合にも、正しいスイングに必要な上記要素が全て、「スイング軌道指示部材」及び「クラブフェース角度支持部材」により客観化されていることから、プレーヤーに対して容易に教授することができ、教授効率を向上させることができる。
【発明を実施するための最良の形態】
【００３７】
以下、添付図面に基づき本発明の実施の形態について説明する。
図１〜図５に示すように、本実施形態に係るゴルフスイング点検器１１には、本実施の形態にかかるゴルフスイング点検器１１は、プレーヤー４５によるゴルフクラブ４１のスイングを点検できるように構成され、有効なスイング軌道断面を規定することができる基準指標部材１２が備えられている。
【００３８】
そして、図１に示すように、上記基準指標部材１２は、上記ゴルフクラブ４１の有効なスイング軌道断面を指示しうるスイング軌道指示部材１３と、バックスイング時における有効なクラブフェースの角度を指示しうるクラブフェース角度指示部材１４とにより構成されている。
図３及び図４に示すように、上記スイング軌道指示部材１３は、プレーヤー４５が上半身を股関節を中心に３０度〜３５度前傾させた状態でセットアップした際におけるゴルフクラブ４１のクラブシャフト２９の位置を含む、本来のスイング軌道面２８と、図５に示す、バックスイングし、ゴルフクラブ４１が最高位置に至った場合におけるプレーヤー４５の右肩４７とボールが置かれるべき位置４６との間を結ぶ直線を含み、バックスイング時の最高位置にあるグリップ２７が位置すべき仮想スイング軌道断面３３とを規定しうるように構成されている。  
【００３９】
そして、本実施の形態に係るゴルフスイング点検器１１にあっては、設置面４２上に載置される基部１５と、この基部１５上に設けられ上下方向に伸縮可能に形成された支持部１６と、この支持部１６に角度可変に固定され、上記第一のスイング軌道面２８及び上記第二のスイング軌道面３３を指示しうるスイング軌道指示部材１３と、上記支持部１６に固定されたクラブフェース角度指示部材１４とを有し、上記スイング軌道指示部材１３は、伸縮可能に形成されている。
【００４０】
上記支持部１６は棒状に形成され、この支持部１６の上端部には上記スイング軌道指示部材１３が軸支されて固定されると共に、同一部位に上記クラブフェース角度指示部材１４が軸支され、上記スイング軌道指示部材１３は、上記支持部１６における軸支部４４を中間部として支持部１６から両方向へ伸長させることができるように形成されている。
また、上記スイング軌道指示部材１３は支持部１６の両側方へ展張した場合には、ゴルフクラブ４１のフルスイングにおいてもスイング軌道断面を指示しうる長さ寸法に形成されている。
上記支持部１６の上端部には円板状の角度表示盤１７が設置され、上記スイング軌道指示部材１４の中間部と上記クラブフェース角度指示部材１４の基端部は、上記角度表示盤１７の中心部に回転可能に取り付けられている。
【００４１】
上記角度表示盤１７には目盛が刻設され、その目盛には時刻表示文字が記されており、上記クラブフェース角度指示部材１４は、１１時３０分の角度位置に固定されている。
【実施例１】
【００４２】
以下、本発明に係るゴルフスイング点検器１１の一実施例について説明する。
上記ゴルフスイング点検器１１は、図１及び図２に示すように、基台１５と、その基台１５上に垂直に立設された支持部材１６と、上記支持部材１６の上端に設置された角度表示盤１７と、上記角度表示盤１７に回転可能に取り付けられた基準指標部材１２とを備えて構成されている。
【００４３】
上記基準指標部材１２は、本実施例にあっては、図１に示すように、スイング軌道指示部材１３と、クラブフェース角度指示部材１４とにより構成されている。
【００４４】
上記基台１５は、図１に示すように、平面円板状であって、後述のように、上記スイング軌道指示部材１３を指示部材１６の両側方に展張した場合であっても、床や地面等の設置面４２上に安定して載置できる大きさと重量を有しており、本実施例にあっては、金属により形成されている。
【００４５】
上記支持部材１６は全体金属製棒状に形成され、図１に示すように、上記基台１５に対して基端部において直角に固定された大径部２１と小径部２０とを備えている。
その結果、本実施例に係るゴルフスイング点検器１１が設置面４２上に載置された場合には、上記支持部材１６は略垂直に立設される。上記小径部２０は上記大径部２１の内部に挿入可能であって、かつ、突出可能に形成され、上記大径部の上端部には、図１に示すように、高さ調節用の固定ネジ２２が設けられている。
【００４６】
従って、支持部材１６の高さを調整する場合には、上記固定ネジ２２による小径部２０の大径部２１への固定を解除して高さの調節を行い、適宜の高さにおいて上記固定ネジ２２により小径部２０を大径部２１へ固定することにより行う。
本実施例にあっては、上記支持部材１６は、上記小径部２０を延出して固定ネジ２２により適宜高さで固定することにより、上記軸支部４４がプレーヤー４５の腰の高さ位置に配置しうるような長さ寸法に形成されている。
従って、このように上記支持部材１６を、上下方向へ伸縮可能で、高さ調節可能に形成されていることから、各プレーヤーは自分の体格に合わせて使用することができる。
【００４７】
上記支持部材１６の上端には、角度表示盤１７が軸支部４４を介して固定されている、この角度表示盤１７は側面円盤状であって、図１に示すように、塩化ビニールを素材として透明に形成され、周縁部に沿って所要の角度を示す目盛１８が印されている。
【００４８】
また、上記角度表示盤１７に印された目盛１８の所要位置には、図１及び図５に示すように、時計の文字盤と同様の時刻表示文字１９が印されている。
【００４９】
上記基準指標部材１２としてのスイング軌道指示部材１３は、図１に示すように、所定の長さ寸法を有し、互いに直径の異なる３本のパイプ部材を長さ方向に沿って連結して直線棒状に形成され、各パイプ部材は隣接するパイプ部材に対し挿入又は突出可能に形成され、全体が長さ方向へ伸縮可能に構成されている。
【００５０】
上記スイング軌道指示部材１３は、その軸方向における中間部が、図２に示すように、上記支持部材１６の上端部で、かつ上記角度表示盤１７の中心部において、上記軸支部４４を介して時計方向及び半時計方向に回転可能に取り付けられ、上記蝶ネジ２３を締め付けることにより任意の傾斜角度で停止して固定しうるように構成されている。
【００５１】
上記スイング軌道指示部材１３は、ゴルフクラブ４１のスイング時におけるスイング軌道断面をスイング前後方向に沿って側面側から規定することができる。
【００５２】
図１及び図２に示すように、上記基準指標部材１２としてのクラブフェース角度指示部材１４は、上記角度表示盤１７上において、時計の針を模して配置され、その基端部は、ローレットビス２４により、上記支持部材１６の上端部で、かつ上記角度表示盤１７の中心部において、上記軸支部４４により回転可能に取り付けられている。
上記クラブフェース角度指示部材１４は、上記ローレットビス２４を締め付けることにより任意の傾斜角度で停止して固定しうるように形成されている。
【００５３】
上記クラブフェース角度指示部材１４は、バックスイング時にゴルフクラブ４１のクラブフェース２６が適切な角度であるか否か、をプレーヤー４５が確認できるようにするために設けられている。
【００５４】
本実施例に係る上記ゴルフスイング点検器１１の作用、即ち、使用方法について説明する。
まず、上記ゴルフスイング点検器１１は、図３に示すように、プレーヤー４５の正面方向から見た場合、プレーヤー４５の左方、即ち、ゴルフクラブ４１をバックスイングする側に設置する。詳細には、バックスイング側から見た場合、プレーヤー４５の両足の位置とボールを置くべき位置４６との間の略中間の位置に設置する。
【００５５】
セットアップ時には、図３に示すように、プレーヤー４５が上半身を、股関節を中心に３０〜３５度前傾して、自分の体格に基づき最も自然な状態で、ゴルフクラブ４１を両手で握って保持し、右肘をやや下方に落とした状態でクラブヘッド２５を床面又は地面に付けたセットアップ姿勢をとる。
クラブのグリップを握る際には、左掌でグリップエンド側を握ると共にその反グリップエンド側を右掌で握ることから、右手を伸ばす分だけ右肘は左肘よりも下方に位置することになる。従って、自然に上記のようにやや右肘を下方に落とした状態となる。
上述のように、上記３０〜３５度の前傾角度は、バックスイング時における上半身の捻りにより蓄積される身体エネルギーを、最も効率よくゴルフクラブ４１へ伝達することができる角度である。
【００５６】
このとき、グリップ２７は、バックスイング側側方から見て、グリップ２７を自分の腰、正確には、股関節と略同じ高さ位置に合わせる。この状態で、自分にとって最も自然なセットアップ状態を取れる位置にクラブヘッド２５を置くことが必要である。
なお、この状態でゴルフクラブのグリップエンドがプレーヤー４５のヘソを指す角度位置にあることが望ましい。
本来、この状態でクラブヘッド２５を置いた位置がボールが置かれるべき位置４６となる。
【００５７】
従って、上記ボールが置かれるべき位置４６は、本来、上記フォームを形成した後、結果的に決定されることとなり、上記ボールが置かれるべき位置４６は、プレーヤー４５における上記前傾姿勢を有する上記フォームとの関係で、必要な場合には、適宜、微調整を行う。また、使用するゴルフクラブ４１の長さ寸法に応じて調整する。
次に、正しくセットアップを行う場合には、まず、上記両足を平行にスタンスを取り、ボールが置かれるべき位置４６に対して正対し、上記ボールが置かれるべき位置４６にヘクラブヘッド２５を置いて保持したゴルフクラブ４１に対して身体が直角となるようにして立つ。
さらに、上半身を、股関節を中心に３０度〜３５度前傾して、膝を自然にやや曲げ、かつ自然に右肘を落としてグリップ２７を握ってゴルフクラブ４１をセットすることにより、ボールをインパクトする場合の正しい姿勢、最適なスイングフォームの基礎を作ることができる。
【００５８】
即ち、このセットアップ時におけるゴルフクラブ４１の状態位置こそが、ゴルフクラブ４１をバックスイングし、さらにダウンスイングしてボールにインパクトする際に、ボールを正確な方向へ、かつ大きなかつ正確な飛距離で打つことができる状態位置である。
従って、ゴルフクラブ４１のスイングにあっては、バックスイングした後に、ゴルフクラブ４１を、再度、この状態位置に正しく復帰させることが、より遠くへ、より正確にボールを飛ばすために絶対的に必要となる条件である。
【００５９】
その結果、ゴルフコース、ゴルフ練習場等において実際にボールを打つ場合には、先ずもって、ボールに対して以上のようなフォームでアプローチできる位置にアドレスすることが必要となる。
そして、この場合、図３に示すように、上記セットアップが完了した状態においては、ゴルフクラブ４１のスイング方向には、ゴルフラブ４１のスイングの基礎となる、上記セットアップ状態における、クラブシャフト２９を含んでスイング方向に形成される本来のスイング軌道断面、即ち、「オリジナルプレーン」２８が形成される。
【００６０】
この「オリジナルプレーン」２８は、ゴルフクラブ４１をバックスイングした後、ゴルフクラブ４１が最終的にボールを適切にヒットできるクラブヘッド２５の位置を含む平面である。
従って、スイング時における正しいゴルフクラブ４１の軌道を形成するためには、先ず、上記のアドレス状態を、上半身の傾斜角度を含めて正確に形成し、かつ、その状態でゴルフクラブ４１のスイング時に形成される「オリジナルプレーン」２８を、プレーヤー４５自身が十分に認識する必要がある。
このようなセットアップ時における、立ち位置の決定から上半身の前傾及び、グリップを握りクラブヘッドをボール位置にセットする一連の準備動作を、ゴルフの世界では一般に「ルーティーン」と称されている。この「ルーティーン」を、上記のように正しく行うことにより、確実で安定性のあるスイングを行える基礎状態が自然に形成されるものである。
【００６１】
従って、本実施例においては、先ず、この「オリジナルプレーン」２８を上記スイング軌道指示部材１３を用いて客観的に確定する。
即ち、先ず、本実施例に係るゴルフスイング点検器１１の支持部１６の高さをプレーヤー４５の体格に合わせて調節し、上記角度表示板１７の中心部、即ち軸支部４４を、バックスイング側から見てグリップ２７の高さ位置に合わせ、かつ、上記蝶ネジ２３を操作してスイング軌道指示部材１３を適宜傾斜させ、さらに支持部材１６の双方向へ延出させて伸長し、セットアップされたクラブシャフト２９に沿って一直線に配置されるように設定する。
【００６２】
なお、このスイング軌道指示部材１３の角度調整はコーチ等の他の人間が行ってもよく、また、プレーヤー４５が自ら鏡により確認しながら行ってもよい。
これにより、上記スイング軌道指示部材１３により、ゴルフクラブ４１によるボールのインパクトのための本来のスイング軌道断面である、「オリジナルプレーン」２８が視覚化、客観化されて、プレーヤーは「オリジナルプレーン」２８の形成状態を、鏡等により客観的に認識することができる。
【００６３】
従って、セットアップした際に、常にクラブシャフト２９の傾斜角度が上記スイング軌道指示部材１３の傾斜角度と一致するように繰り返し練習をすることにより、正しいセットアップ姿勢を体得することができる。
これにより最適なセットアップが可能となり、正しいスイングを行う基礎を形成することができる。
【００６４】
次に、確実で安定性のあるスイング軌道を形成するために、バックスイング時においては、バックスイング側の腰の高さ位置からフォロースルー側の腰の高さ位置に至る、いわゆる「ハーフスイング」の練習が最も重要であることが、ゴルフにおけるスイング理論上認識されている。
この点は、プロゴルファーが、トーナメントコース上で打球のイメージとスイングを確認するために、実際に打球を行う前に度々、ハーフスイングを行うことからも明らかである。
このハーフスイングを正しく行うためには、上記「オリジナルプレーン」２８内を、バックスイング時には右腰、スルーインパクト時には左腰の高さ位置との間で繰り返しスイングすることにより、バックスイングからインパクト、そしてスルーインパクトに至る、正しいゴルフクラブ４１の軌道面を把握できる。
【００６５】
また、この場合、図４に示すように、ハーフスイング時のバックスイングの際に、クラブヘッド２５のクラブフェース２６のリーディングエッジ３０の角度が１１時３０分の角度となることにより、ボールに対して正しい角度でクラブヘッド２５が当接し、目的とする方向へボールを飛ばすことが可能となる。
即ち、本実施例にあっては、上記ハーフスイングを練習する際には、バックスイング時において、腰の高さにクラブヘッド２５が位置するときに、そのクラブヘッド２５のクラブフェース２６のリーディングエッジ３０を、上記１１時３０分の位置にセットされた上記クラブフェース角度指示部材１４に合わせるようにスイングする。
【００６６】
ゴルフクラブ４１のバックスイング時からインパクト時に至る間には、上半身と腕とクラブとが、頭から足に至る身体の中心線を回転軸とする回転運動が行われる。
その結果、クラブヘッド２５のクラブフェース２６も、バックスイング時からインパクト時に至る間、クラブシャフト２９を中心に回動しながら下降するため、ハーフスイングにおけるバックスイングのトップ位置において、上記１１時３０分の角度位置にクラブフェース２６のリーディング３０を合わせることにより、クラブヘッド２５のフェース２６がボールにインパクトする際の正しいクラブフェースの角度をこの位置で形成することができ、この状態のままクラブを上記セットアップ時に形成した「オリジナルプレーン」２８上に位置する初期位置に振り下ろしてボールをインパクトすることにより飛球方向に対して直角の、正しいクラブフェースを形成することができる。
【００６７】
このように、インパクト時に飛球方向に対して直角のクラブフェース２６を形成することにより両足の前方方向へ、「真直ぐ」にボールを飛ばすことができる。
上記のように、上記クラブフェース２６のリーディングエッジ３０の角度が１１：３０よりも小さい場合、例えば、１０時程度の角度でインパクトした場合には、クラブフェース２６は「閉じた」状態となっており、この状態でインパクトした場合には、ボールは飛球方向において左側方向へカーブし、「フック」となる。
【００６８】
一方、１１時３０分よりも大きな場合、例えば、１２時３０分程度の場合には、クラブフェース２６は「開いた」状態となり、ボールは飛球方向において右側へカーブし、「スライス」することとなることは論理的に把握されている。
従って、上記角度支持針１４にクラブフェース２６のリーディングエッジ３０を合わせることにより、ボールの飛球方向に対して直角に当接するフェース面をこの位置で認識し、設定することができることから、プレーヤーは、他人を介して、または鏡を見ることによりバックスイングしたクラブヘッド２５のリーディングエッジ３０の角度が正しい角度であるか否か、を確認することができる。
【００６９】
その結果、プレーヤーはハーフスイングにおけるバックスイング時に、正しい飛球方向を形成することができるクラブフェース３０を客観的に認識することができると共に、容易に修正をおこなうことができる。
上記のように、「ハーフスイング」はゴルフのスイングの中核をなすものであり、このハーフスイングの練習は最も重要であることから、正しい軌道を以ってスイングを行うことができるように繰り返しスローモーションで練習することが必要である。
この場合、両肘が下を向いている状態でハーフスイングを行うことが重要である。即ち、テークバック時には右肘が下を向き、スルーインパクト時には左肘が下を向くようにハーフスイングを行う。
なお、ゴルフクラブ４１のスイングを身体正面方向から見てゴルフクラブ４１のスイング角度を時計の文字盤に即して表現した場合には、上記「ハーフスイング」は３時位置〜９時位置の間のスイングである。
そして、このようなハーフスイングの練習後、少しづつゴルフクラブ４１のスイングのスピードを上げ、２時位置〜１０時位置の間のスイング、即ち、いわゆる「スリークウォーター」のスイング練習を行い、最終的には、アットザトップの場合に１１時３０分程度であってフィニッシュ時にも同じく１１時３０分程度の角度位置の間における「フルスイング」の形成を目標とする段階的な練習を行うことが重要である。
この場合、上記「ハーフスイング」は、ボールを捕らえるための最も基礎的かつ重要なスイングであり、上記「スリークウォーター」は、１００ヤードから１５０ヤードの飛距離を得る、確実にポイントを取得しつつゲームを進行させるためのスイングである。そして「フルスイング」は最終的にボールを最も遠くへ、かつより正確に飛ばすためのスイングである。
従って、「フルスイング」は「ハーフスイング」のテークバック時におけるグリップ位置が右肩方向へ上昇していくことにより形成される一連の動作であり、「フルスイング」と「ハーフスイング」とは別個のものではなく「フルスイング」は「ハーフスイング」の延長上にある。
【００７０】
実際にボールをゴルフクラブ４１により打つ場合には、フルスイングを行うが、このフルスイング時におけるバックスイングの最高の高さ位置にある場合のスイング軌道断面を確認する場合は、図５に示すように、上記指示部材１６の固定ネジ２２を調節して小径部２０を大径部２１から上方へ引き出し、上記角度表示盤１７の中心部を形成する軸支部４４をプレーヤー４５の腰の高さ位置に合わせる。
【００７１】
そして、図５に示すように、スイング軌道指示部材１３の下端部１３ａはボールが置かれるべき位置４６を指す状態に固定すると共に、上端部１３ｂがプレーヤー４５の右肩位置４７に交差するように傾斜角度を設定する。その結果、スイング軌道指示部材１３により「スイングプレーン」３３が形成される。
この「スイングプレーン」３３は、バックスイングし、ゴルフクラブ４１が最高位置、即ち、アットザトップに至った場合におけるプレーヤー４５の右肩４７とボールが置かれるべき位置４６との間を結ぶ直線を含み、バックスイング時の最高位置にあるグリップ２７が位置すべき仮想スイング軌道断面である。
従って、アットザトップ時に、上記「スイングプレーン」３３内にゴルフクラブ４１のグリップ２７が位置することがバックスイング時には最も重要な条件となる。
【００７２】
そして、このアットザトップ時点から、ゴルフクラブ４１よりも身体を先行させて回転させながらダウンスイングする。また、ダウンスイングする場合は、トップオブザスイング位置において、一度、慣性モーメントを下方へ逃がすと共にグリップ２７は身体に近接した軌道をとるようにすることが有効である。
より詳しくは、ダウンスイング時には、ゴルフクラブ４１のボールへのインパクトに至るまではゴルフクラブ４１の振り下ろしよりも腰の回転を先行させ、インパクト時に、左足の大腿部及び左膝頭を身体外方へ回転させることなく固定して正面に向けた状態を維持しつつ、クラブヘッド２５をインパクトからフォロースルーへと、瞬時に身体の前面を通過させるようにすることが重要である。
このように左足の大腿部及び膝頭を上半身の回転と共に回転させることなく固定することにより、上半身の捻りにより発生する遠心力及び求心力を逃がすことなくゴルフクラブ４１のクラブヘッド２５へ伝達することができる。
【００７３】
その後、本来、プレーヤー４５にとって最も自然な状態でボールへゴルフクラブ４１がインパクトしうる、上記「オリジナルプレーン」２８の軌道位置へ、再度、ゴルフクラブ４１を復帰させてボールへのインパクトを行う必要がある。
従って、本実施例に係るゴルフスイング点検器１１を利用して、上記「オリジナルプレーン」２８におけるハーフスイングを繰り返し練習すると共に、ハーフスイングのトップオブスイング位置において、クラブヘッド２５のリーディングエッジ３０をクラブフェース角度指示部材１４に合わせることにより１１時３０分の角度を常に保持できるように反復練習し、さらに、フルスイング時には、上記「スイングプレーン」３３を参照しつつ、「オリジナルプレーン」２８に従ってゴルフクラブ４１をダウンスイングすることにより、より遠くへ、正確にボールを飛ばすことができるスイングを習得することができる。
【００７４】
従って、本実施例に係るゴルフスイング点検器１１を使用してゴルフスイングの練習を行った場合には、上記「スイングプレーン」３３により、バックスイングのアットザトップ時点におけるグリップ２７の位置を右肩の位置に合わせることを習得し、また、上記クラブフェース角度指示部材１４の規制によりダウンスイング時における腰の高さ位置でのクラブフェース２６の、１１時３０分の角度を習得し、「オリジナルプレーン」２８によりインパクトの際の、あるべきゴルフクラブ４１の角度位置が習得できる。
【００７５】
従って、正しいスイングの上記３つの要点が、スイング軌道支持部材１３及びクラブフェース角度支持部材１４により、視覚で判別できる形で明確かつ客観的に指示されることから、プレーヤー４５は、上記３つの要点を含むスイング軌道を反復練習することにより、容易に、より遠くへ、より正確に飛ばすことができるスイング軌道を身につけることができる。
なお、上記基準指標部材１２及びスイング軌道指示部材１３の具体的構成に関しては上記実施の形態に限定されない。
【産業上の利用可能性】
【００７６】
本発明は、ゴルフプレーヤーがスイング軌道を安定させるための練習を行う場合にフォームを点検する器具に適用可能である。
【図面の簡単な説明】
【００７７】
【図１】本発明に係るゴルフスイング点検器の一実施例を示す斜視図である。
【図２】本発明に係るゴルフスイング点検器の一実施例を示す平面図である。
【図３】本発明に係るゴルフスイング点検器の一実施例であって、セットアップ時の状態においてオリジナルプレーンを規定した場合を示す側面図である。
【図４】本発明に係るゴルフスイング点検器の実施例を示し、規定されたオリジナルプレーン上においてハーフスイングを行い、クラブフェースを１１時３０分の角度位置にあわせた状態を示す側面図である。
【図５】本発明に係るゴルフスイング点検器の実施例を示し、スイングプレーンを形成し、スイングプレーン上におけるバックスイング時のトップオブザスイングの状態を示す側面図である。
【符号の説明】
【００７８】
１１  ゴルフスイング点検器
１２  基準指標部材
１３  スイング軌道指示部材
１４  クラブフェース角度指示部材
１５  基台（基部）
１６  支持部材（支持部）
１７  角度表示盤
１８  目盛
１９  時刻表示文字
２０  小径部
２１  大径部
２２  固定ネジ
２３  蝶ネジ
２４  ローレットビス
２５  クラブヘッド
２６  クラブフェース
２７  グリップ
２８  オリジナルプレーン
２９  クラブシャフト
３０  リーディングエッジ
３３  スイングプレーン
４０  スイング軌道指示部材
４１  ゴルフクラブ
４２  設置面
４４  軸部
４５  プレーヤー
４６  ボールを置く位置
４７  右肩位置
【図１】
2006158453.tif 000003
【図２】
2006158453.tif 000004
【図３】
2006158453.tif 000005
【図４】
2006158453.tif 000006
【図５】
2006158453.tif 000007
【手続補正書】
【提出日】平成16年12月3日(2004.12.3)
【手続補正２】
【補正対象書類名】明細書
【補正対象項目名】００５９
【補正方法】変更
【補正の内容】
【００５９】
その結果、ゴルフコース、ゴルフ練習場等において実際にボールを打つ場合には、先ずもって、ボールに対して以上のようなフォームでアプローチできる位置にアドレスすることが必要となる。
そして、この場合、図３に示すように、上記セットアップが完了した状態においては、ゴルフクラブ４１のスイング方向には、ゴルフクラブ４１のスイングの基礎となる、上記セットアップ状態における、クラブシャフト２９を含んでスイング方向に形成される本来のスイング軌道断面、即ち、「オリジナルプレーン」２８が形成される。